(57)【要約】【課題】造作材のリフォームやキズの修理をする場合等に、簡単に施工できる造作材のカバー１を提供すること、また該カバー１を用いた施工方法を提供すること。【解決手段】巾木、廻り縁、窓枠、ドア枠等の造作材を被覆するための断面がＬ字型の棒状部材であって、該造作材に面する側に１以上の切り溝２が設けられており、該造作材の寸法に合うようにいずれかの切り溝２で容易に切断することが可能である造作材のカバー１。及び、該カバー１を用いて施工する方法。【選択図】　図１
2004107877.tif 000002
【特許請求の範囲】
【請求項１】
巾木、廻り縁、窓枠、ドア枠等の造作材を被覆するための断面がＬ字型の棒状部材であって、該造作材に面する側に１以上の切り溝２が設けられており、該造作材の寸法に合うようにいずれかの切り溝２で容易に切断することが可能であることを特徴とする造作材のカバー１。
【請求項２】
前記切り溝２の断面が、Ｖ字型となっていることを特徴とする請求項１記載の造作材のカバー１。
【請求項３】
前記切り溝２の断面が、台形型又は矩形型となっていることを特徴とする請求項１記載の造作材のカバー１。
【請求項４】
請求項１乃至請求項３のいずれかに記載の造作材のカバー１に設けられた切り溝２のうち、造作材の寸法に最も適合する切り溝２に沿って造作材のカバー１を切断し、造作材に取り付けることを特徴とする造作材のカバー１の施工方法。
【発明の詳細な説明】
【０００１】
【発明の属する技術分野】
本発明は、巾木、廻り縁、窓枠、ドア枠等の造作材のカバー１、ならびに該カバー１を巾木、廻り縁、窓枠、ドア枠等の造作材へ施工する方法に関するものである。
【０００２】
【従来の技術】
住宅等の建物には、窓枠やドア枠、また、床と壁との間に設置された巾木や、壁と天井との間に設置された廻り縁等の造作材（以下、造作材と称す。）が設置されている。これらの造作材は、部屋のリフォームや部分的なキズの修理をする場合に、一度全部取り除いて、新たに新品を取り付けるという作業が必要であった。このような作業は専門的な技術が必要とされ、また費用と時間を要するという問題があった。
【０００３】
このような作業を避けるため、リフォーム時に、もともと設置されている造作材の上に新しい造作材を覆うという方法がある。例えば巾木では特開平９−１３７５９４号のように、床のリフォーム時に、古い巾木の上部と正面を覆うＬ字形新巾木本体と、古い巾木の正面側と新巾木本体間に発生する隙間に合わせて厚さを選択するために、複数枚用意された隙間調節板とから成るリフォーム用巾木がある。これによると建物に設置された状態の古い巾木を取り除かず、新しい巾木を施工することができる。
【０００４】
しかしながら、このような方法では、Ｌ字形新巾木の上部及び正面側の長さに合わせてリフォームするのが前提であり、古い巾木よりＬ字形新巾木の上部及び正面側の長さが短いといった場合のフォローはされていなかった。さらに正面側は隙間調節板で調節できても、上部側に隙間が発生した場合のフォローもされていなかった。また、隙間調節板の数がどのくらい必要かが分からない場合などには、大量の数を用意しなければならず、施工にもかなりの手間がかかることになるなど、未だ解決しなければならない課題が多いものであった。
【０００５】
【発明が解決しようとする課題】
本発明はこのような状況に鑑みなされたもので、リフォームやキズの修理をする場合等に、簡単に施工できる造作材のカバー１を提供すること、また該カバー１を用いた施工方法を提供することを目的とする。
【０００６】
【課題を解決するための手段】
本発明によれば、巾木、廻り縁、窓枠、ドア枠等の造作材を被覆するための断面がＬ字型の棒状部材であって、該造作材に面する側に１以上の切り溝２が設けられており、該造作材の寸法に合うようにいずれかの切り溝２で容易に切断することが可能である造作材のカバー１が提供され、
更に、前記切り溝２の断面が、Ｖ字型となっている造作材のカバー１が提供され、
更にまた、前記切り溝２の断面が、台形型又は矩形型となっている造作材のカバー１が提供される。
また、造作材のカバー１に設けられた切り溝２のうち、造作材の寸法に最も適合する切り溝２に沿って造作材のカバー１を切断し、造作材に取り付けることを特徴とする造作材のカバー１の施工方法が提供される。
【０００７】
【発明の実施の形態】
本発明の造作材のカバー１について説明する。
本発明の造作材のカバー１は、部屋のリフォームや部分的なキズの修理をする場合等に、もともと設置している造作材に被覆して使用するものである。また造作材の各々の寸法は統一されたものではなく、大小様々な寸法となっているが、本発明の造作材のカバー１はそれぞれの寸法に適合するようにカバー１の寸法を調節して施工することが可能なものである。
【０００８】
本発明の造作材のカバー１の材質は、一般に使用されている建築材料を用いることができる。例えば、木材や、ポリプロピレンやポリスチレン等のプラスチックが用いられる。また、合板、ＭＤＦ等も使用可能である。さらにこれらに意匠性を付与するために印刷あるいは化粧材を貼付したものがより好ましい。
【０００９】
本発明の造作材のカバー１は断面がＬ字型の棒状部材であり、その寸法は特に限定されず、更に造作材の種類によっても異なる。例えば、巾木や廻り縁に施工するカバー１の寸法は、施工した時に壁と垂直になる面の幅は５ｍｍ〜２０ｍｍ、壁と平行になる面の幅は１０ｍｍ〜１００ｍｍとすることが好ましい。また窓枠やドア枠に施工するカバー１の寸法は、施工した時に壁と垂直になる面の幅は５ｍｍ〜５００ｍｍ、壁と平行になる面の幅は１０ｍｍ〜１００ｍｍとすることが好ましい。
また本発明の造作材のカバー１の厚みは、２ｍｍ〜２０ｍｍとすることが好ましい。長さについては、長尺のものを現場の寸法に合わせて切断しながら用いるとよいので特に限定はない。
【００１０】
そして本発明の造作材のカバー１は、造作材に面する側に１以上の切り溝２が設けられている。
切り溝２の数は１以上あれば特に限定されるものではなく、例えば、５ｍｍ間隔に複数の切り溝２を設けるように形成したりしてもよいし、断面Ｌ字型の内側の片面、または２面に各々１〜８個、好ましくは２〜５個の切り溝２を設けるようにしてもよい。断面Ｌ字型の内側の２面に各々２〜５個の切り溝２を設けた場合、１個で４〜２５種類の寸法に対応したカバー１が得られる。
【００１１】
また、市販の造作材の寸法規格に合わせることができる位置を想定して切り溝２を設けてもよい。例えば巾木に使用する場合の造作材カバー１の切り溝２の位置は、該カバー１のＬ字型をした断面の屈曲部の内側角から測って、施工した時に壁と垂直になる面側は２〜４ｍｍの間隔、好ましくは３ｍｍの間隔、壁と平行になる面側は同角から１４〜１６ｍｍの間隔、好ましくは１５ｍｍの間隔に設けるようにする。このようにして切り溝２を設けると、ほとんどの市販の巾木の寸法に適合することができるので好ましい。他の造作材についても同様で、市販されている造作材の寸法規格に合わせるように切り溝２を設けるとよい。
【００１２】
切り溝２の形状は、容易に切断できる形状であればどのような形状であってもよいが、その断面がＶ字型、台形型、矩形型とするのが好ましい。
断面がＶ字型となる切り溝２では、施工時においていちいち定規を使用しなくてもまっすぐな線で切断することができ、更に作業を効率化できるという利点も得られる。
【００１３】
また、断面が台形型又は矩形型となる切り溝２では、切り溝２に２つ形成された角のうち、より外側に位置する角に沿って切断し、カバー１の終端縁部に薄い基材が突出するようにする。このように切断して、カバー１の終端縁部に薄い基材が突出した状態で残っていると、この部分は比較的柔軟であるため、床や壁の不陸に馴染むように配置され不陸が調整される。なお突出した状態で残っている基材の巾は０．５〜５ｍｍ、より好ましくは１〜３ｍｍとなるように切り溝２の巾を調節して設けるようにする。
【００１４】
切り溝２は、小型の刃物でも簡単に切断することができる程度の深さの溝を設ける。例えば、カッターナイフで簡単に切断できる程度の深さにするとよい。
【００１５】
次に、造作材のカバー１の施工方法について図面を用いて説明する。なお、ここでは主に巾木を例にとって説明するが、その他の造作材も同様に施工することができる。
図１は、巾木のカバーの一例を示す模式図、図２は、図１の巾木のカバーの一施工例を示す模式図である。カバー１の断面はＬ字型となっており、巾木３と接する側に複数の切り溝２を設けている。本図では施工時に壁４と垂直になる面には２つ、壁４と平行になる面には４つの切り溝２を設けているがこれに限定されるものではない。また、切り溝２の形状をＶ字型にしているがこれに限定されるものではない。
【００１６】
施工時にはまず、建物に設置してある造作材の寸法を測り、その寸法に合うようにカバー１に設けられた複数の切り溝２から切断する切り溝を選択する。図２（Ａ）に示すように、施工しようとする巾木３よりもカバー１の寸法の方が大きいものである場合、カバー１に設けた複数の切り溝２のうち、破線で示す２つの切り溝を切断することにより、巾木３に適合するカバー１が得られる。
そしてカバー１を選択した切り溝にそって切断した後は、（Ｂ）に示すように巾木３にカバー１を被覆する。カバー１の固定は、接着剤、釘打ち、粘着テープ等によって行う。またカバー１の巾木３に面する側にあらかじめ両面粘着テープを貼付しておくようにしていれば更に施工性が向上する。
【００１７】
図３は、台形型をした切り溝２を有するカバー１を施工する例を示す模式拡大図である。図２と同様に施工しようとする巾木３よりもカバー１の寸法の方が大きいものである場合、図３（Ａ）の破線で示す切り溝で切断することにより、図３（Ｂ）に示すように巾木３に適合するカバー１を得る。なお、図３（Ａ）において破線で示す位置は、切り溝に２つ形成された角のうち、より外側に位置する角の部分である。該破線部分に沿ってカバー１を切断し、カバー１の終端縁部に薄い基材６が突出するようにする。
【００１８】
図３（Ｃ）で示す床５は、床一面のうち、他の部分と比較して若干の盛り上がりがある不陸の状態であり、そこにカバー１を施工した場合を示す。カバー１の終端縁部にある突出した薄い基材６は、比較的柔軟であるため、床５の不陸に馴染むように配置される。このようにして床５の不陸が調整される。
【００１９】
本発明の造作材のカバー１は、複数を組み合わせて使用してもよい。図４は、窓枠８に被覆するカバー１を二つ用意し、組み合わせて使用した施工例を示す模式図である。複数を組み合わせて使用することにより、幅広い種類の造作材をリフォームすることができる。
【００２０】
【発明の効果】
以上説明したように本発明の造作材のカバー１には、造作材に面する側に１以上の切り溝２が設けられており、造作材の寸法に合うようにいずれかの切り溝２で容易に切断することが可能である。また、本発明の造作材のカバー１は、該カバー１ひとつで寸法が異なる複数の造作材に対応することができるので、従って多数の製造パターンを用意する必要がなく製造コストが低減化できる。また輸送や在庫等のコストも低減化できる。さらに本発明の造作材のカバー１に設けられた複数の切り溝２のうち、造作材の寸法に最も適合する切り溝に沿ってカバー１を切断し、造作材に取り付けるという施工方法によれば、専門的な技術を有さない人にでも簡単に造作材のリフォームが行える。
【図面の簡単な説明】
【図１】本発明の造作材のカバー１を示す模式図である。
【図２】本発明の造作材のカバー１の施工例を示す模式図である。
【図３】本発明の造作材のカバー１の他の例、及び他の施工例を示す模式拡大図である。
【図４】本発明の造作材のカバー１の他の施工例を示す模式拡大図である。
【符号の説明】
１．造作材のカバー
２．切り溝
３．巾木
４．壁
５．床
６．突出部
７．窓
８．窓枠
【図１】
2004107877.tif 000003
【図２】
2004107877.tif 000004
【図３】
2004107877.tif 000005
【図４】
2004107877.tif 000006